(57)【特許請求の範囲】
【請求項１】
所定のパイプパターンに整形された温水パイプと、
前記温水パイプの直線部分を収容する、上側に突出したパイプ収容部を有する上部カバーシートと、前記パイプ収容部に前記温水パイプの直線部分を収容した状態で前記パイプ収容部を閉塞するように、前記上部カバーシートの裏面に貼着される下部シートとからなる基材と
を備え、
床下地の上に載置した状態で、温水パイプ部分を、床仕上材の裏面に形成されたパイプ収容溝に収容するようにして、床仕上材が敷設される温水式床暖房フロア用の温水パイプユニットであって、
前記基材は、位置調整可能に前記温水パイプの直線部分を保持していることを特徴とする温水式床暖房フロア用の温水パイプユニット。
【請求項２】
前記上部カバーシートは、熱伝導性の良好な素材によって形成されている請求項１に記載の温水式床暖房フロア用の温水パイプユニット。
【発明の詳細な説明】
【０００１】
【発明の属する技術分野】
この発明は、温水式床暖房フロアを施工する際に使用する温水パイプユニットに関する。
【０００２】
【従来の技術】
床下地の上に配設された温水パイプに温水を通すことによって暖房を行う温水式の床暖房フロアとしては、例えば、図１０（ａ）、（ｂ）に示すように、温水パイプ５２を予め内蔵した床仕上材５１を床下地５３の上に順次敷設していくものや、図１１（ａ）に示すように、裏面に温水パイプ６４を収容するためのパイプ収容溝６２が形成された床仕上材６１を、同図（ｂ）に示すように、床下地６３の上に敷設した後、同図（ｃ）に示すように、床仕上材６１の端面側からパイプ収容溝６２に温水パイプ６４を挿入するようにしたものがある。
【０００３】
ところで、図１０に示す床暖房フロアは、温水パイプ５２が床仕上材５１に予め内蔵されているので、床下地５３の上に床仕上材５１を敷設していけばよく、床仕上材５１を床下地５３に釘止めする場合にも、指定された位置を釘止めすれば、床仕上材５１に内蔵された温水パイプ５２が損傷を受けることがないという利点はあるが、温水パイプ５２が床仕上材５１毎に分断されているので、床仕上材５１を床下地５３の上に敷設する際、隣接する床仕上材５１に内蔵された温水パイプ５２同士をコネクタ等を介して順次接続していかなければならず、床仕上材５１の敷設作業性が悪いといった問題がある。
【０００４】
また、図１１に示す床暖房フロアは、床仕上材毎に温水パイプを接続する必要はないが、既に敷設された床仕上材６１のパイプ収容溝６２に長尺の温水パイプ６４をＵターンさせながら通管するのは手間のかかる作業であり、やはり、効率よく床暖房フロアを施工することができない。
【０００５】
こういった従来の温水式床暖房フロアにおける問題を解消するため、本件発明者は、特願２００１−１３５８１４号において、施工性に優れた温水式床暖房フロアを提案している。この温水式床暖房フロアは、図１２（ａ）、（ｂ）に示すように、床下地７６の上に載置される温水パイプユニット７１と、床下地７６の上に載置された温水パイプユニット７１を覆うように床下地７６の上に敷設される床仕上材７４とから構成されており、温水パイプユニット７１は、同図（ｂ）に示すように、所定のパイプパターンに整形された温水パイプ７２が基材シート７３の上面に固着されていると共に、床仕上材７４には、その裏面に温水パイプユニット７１の温水パイプ７２を収容するためのパイプ収容溝７５が形成されている。
【０００６】
以上のように構成された温水式床暖房フロア７０は、床暖房エリアを覆うように、温水パイプユニット７１を床下地７６の上に載置した状態で、その温水パイプユニット７１の温水パイプ７２をパイプ収容溝７５に収容しながら、床仕上材７４を順次敷設していけばよいので、図１０及び図１１に示す温水式床暖房フロアに比べて効率よく施工することができる。
【０００７】
【発明が解決しようとする課題】
ところで、上述したような温水式床暖房フロア７０に使用される床仕上材７４としては、図１３に示すように、温水パイプユニット７１における温水パイプ７２の直線部分７２ａを覆うように敷設される本体パネル７４ａと、温水パイプユニット７１における温水パイプ７２のＵターン部分７２ｂを覆うように敷設されるＵターンパネル７４ｂとが使用されており、こういった本体パネル７４ａ及びＵターンパネル７４ｂにそれぞれ形成されたパイプ収容溝７５ａ、７５ｂは、温水パイプ７２を収容しやすくするために、温水パイプ７２の外径及び温度変化に伴う温水パイプ７２の伸縮量等を考慮して、一定の余裕分を見込んで溝幅が設定されている。
【０００８】
しかしながら、真夏に温水式床暖房フロア７０を施工する場合に、同図に実線で示すように、Ｕターンパネル７４ｂにおけるパイプ収容溝７５ｂのＵターン部分の内縁側に、温水パイプ７２の一方のＵターン部分７２ｂが収容されるように貼始側のＵターンパネル７４ｂが敷設されたり、真冬に温水式床暖房フロア７０を施工する場合に、同図に二点鎖線で示すように、Ｕターンパネル７４ｂにおけるパイプ収容溝７５ｂのＵターン部分の外縁側に、温水パイプ７２の一方のＵターン部分７２ｂが収容されるように貼始側のＵターンパネル７４ｂが敷設されたりすると、貼終側のＵターンパネル７４ｂにおけるパイプ収容溝７５ｂのＵターン部分に温水パイプ７２の他方のＵターン部分７２ｂを収容することができなくなる。
【０００９】
従って、温水式床暖房フロア７０の施工作業者は、温水パイプ７２の伸縮状態を考慮して、貼始側のＵターンパネル７４ｂを慎重に敷設しなければならず、貼始側のＵターンパネル７４ｂを効率よく短時間で敷設することができないといった問題がある。
【００１０】
また、床仕上材７４を敷設した状態では、パイプ収容溝７５に対する温水パイプ７２の収容状態を確認することができないので、温水パイプ７２の伸縮状態を考慮して適正に貼始側のＵターンパネル７４ｂを敷設したつもりでも、そのように敷設されているとは限らず、貼始側のＵターンパネル７４ｂが適正に敷設されていなかった場合は、一旦敷設した床仕上材７４を剥がして、再度、敷設し直すといった面倒な作業を行わなければならないといった問題がある。
【００１１】
そこで、この発明の課題は、温度変化に伴う温水パイプの伸縮を考慮することなく、効率よく温水式床暖房フロアを施工することができる温水式床暖房フロア用の温水パイプユニットを提供することにある。
【００１２】
【課題を解決するための手段及びその効果】
上記の課題を解決するため、請求項１にかかる発明は、所定のパイプパターンに整形された温水パイプと、前記温水パイプの直線部分を収容する、上側に突出したパイプ収容部を有する上部カバーシートと、前記パイプ収容部に前記温水パイプの直線部分を収容した状態で前記パイプ収容部を閉塞するように、前記上部カバーシートの裏面に貼着される下部シートとからなる基材とを備え、床下地の上に載置した状態で、温水パイプ部分を、床仕上材の裏面に形成されたパイプ収容溝に収容するようにして、床仕上材が敷設される温水式床暖房フロア用の温水パイプユニットであって、前記基材は、位置調整可能に前記温水パイプの直線部分を保持していることを特徴とする温水式床暖房フロア用の温水パイプユニットを提供するものである。
【００１３】
以上のように、この温水パイプユニットは、温水パイプを保持する基材が、位置調整可能に温水パイプの直線部分を保持しているので、貼終側のＵターンパネルを敷設する際、そのパイプ収容溝に温水パイプのＵターン部分を収容することができなくなった場合は、温水パイプを貼始側のＵターンパネル側に押したり、貼終側のＵターンパネル側に引き寄せたりするといった具合に、その位置修正を適宜行うことによって、貼終側のＵターンパネルのパイプ収容溝に温水パイプのＵターン部分を確実に収容することができる。
【００１４】
従って、温水式床暖房フロアの施工作業者は、温水パイプの伸縮を考慮して貼始側のＵターンパネルを慎重に敷設する必要がなく、また、貼終側のＵターンパネルを敷設する際、そのパイプ収容溝に温水パイプのＵターン部分を収容することができなくなった場合でも、一旦敷設した床仕上材を剥がして、再度、敷設し直すといった面倒な作業を行う必要がないので、温水パイプをパイプ収容溝に収容しながら貼始側のＵターンパネルから貼終側のＵターンパネルまで効率よく確実に床仕上材を敷設していくことができる。
【００１５】
特に、請求項２にかかる発明の温水パイプユニットのように、前記上部カバーシートを、熱伝導性の良好な素材によって形成しておくと、床仕上材の表面に温度ムラが発生しにくくなるので、床仕上材に均熱シートを練り込まなくても、温度ムラの少ない温水式床暖房フロアを実現することができる。
【００１６】
【発明の実施の形態】
以下、実施の形態について図面を参照して説明する。図１及び図２に示すように、この温水式床暖房フロア１は、捨貼合板等からなる床下地１０と、この床下地１０の上に載置される温水パイプユニット２０と、床下地１０の上に載置された温水パイプユニット２０を覆うように床下地１０の上に敷設される床仕上材３０とから構成されている。
【００１７】
前記温水パイプユニット２０は、図２及び図３（ａ）、（ｂ）に示すように、両端部で交互にＵターンさせながら平面略長方形状に整形した、架橋ポリエチレンによって形成された口径が５Ａの長尺の温水パイプ２１と、この温水パイプ２１の直線部分を保持する、下部シート２３及び上部カバーシート２７からなる基材２２とから構成されており、温水パイプ２１の直線部分が、下部シート２３及び上部カバーシート２７に挟み込まれることによって、温水パイプ２１が位置調整可能に基材２２に保持されている。
【００１８】
前記下部シート２３は、図４に示すように、厚さ５０μｍのアルミニウム箔２５が、厚さ２０μｍのポリプロピレンフィルム２４と目付が２３ｇ／ｍ２の紙間強化紙２６とによってラミネートされた３層ラミネートシートであり、所定のパイプパターンに整形された温水パイプ２１の直線部分を略覆うことができる大きさを有していると共に、温水パイプ２１部分を避けるように、口径３８ｍｍ程度の多数の透孔２３ａが形成されている。
【００１９】
前記上部カバーシート２７は、厚さ１００μｍのポリプロピレンシートを真空成形することによって、所定のパイプパターンに整形された温水パイプ２１の直線部分を収容するパイプ収容部２７ａが形成されており、平面的に下部シート２３と同一の大きさ及び形状を有している。
【００２０】
この上部カバーシート２７は、パイプ収容部２７ａに温水パイプ２１を収容した状態で、パイプ収容部２７ａを除くフラット部分２７ｂが、下部シート２３の上面、即ち、ポリプロピレンフィルム２４の表面に熱融着されており、下部シート２３に熱融着されているフラット部分２７ｂには、下部シート２３に形成された透孔２３ａに対応する位置に同径の透孔２７ｃが形成されている。
【００２１】
前記床仕上材３０としては、温水パイプユニット２０が載置されていない部屋の周辺部分に敷設される周辺パネルと、部屋の中央部分に載置された温水パイプユニット２０における温水パイプ２１の直線部分を覆うように敷設される本体パネルと、温水パイプユニット２０における温水パイプ２１のＵターン部分を覆うように敷設されるＵターンパネルとが使用されており、前記周辺パネルは、本体パネルと同一構成のパネルを使用している。
【００２２】
前記本体パネルは、図２及び図５（ａ）、（ｂ）に示すように、５プライ合板や３プライ合板等の木質板によって形成されたパネル基材３１と、このパネル基材３１の表面に貼着された突板等の表面化粧材３２とから構成されており、本体パネルの表面には、長手方向に伸びる３本の擬似溝３２ａと各擬似溝３２ａ間において短手方向に伸びる複数の擬似溝３２ｂとが形成されていると共に、パネル基材３１の裏面には、上述した温水パイプユニット２０における上部カバーシート２７によって覆われた温水パイプ２１の直線部分を収容するための複数のパイプ収容溝３１ａが一定間隔で形成されている。
【００２３】
前記Ｕターンパネルも、基本的には、前記本体パネルと同一構成を有しているが、図５（ｃ）に示すように、上部カバーシート２７によって覆われた温水パイプ２１の直線部分が収容される直線状のパイプ収容溝３１ａ間に、基材２２から張り出した温水パイプ２１のＵターン部分を収容するための円弧状のパイプ収容溝３１ｂが形成されている。
【００２４】
また、本体パネル及びＵターンパネルにそれぞれ形成されたパイプ収容溝３１ａ、３１ｂは、上部カバーシート２７によって覆われた温水パイプ２１の直線部分や基材２２から張り出した温水パイプ２１のＵターン部分を収容しやすくするために、温水パイプ２１の外径及び温度変化に伴う温水パイプ２１や基材２２の伸縮量等を考慮して、一定の余裕分を見込んでその溝幅が設定されている。
【００２５】
以上のように構成された温水式床暖房フロアの施工方法について、以下に説明する。まず、図７（ａ）に示すように、床暖房フロアを施工しようとする部屋の一辺側から床下地１０の上に周辺パネル３０ａを敷設した後、同図（ｂ）に示すように、温水パイプユニット２０を床下地１０の所定位置に載置する。この場合、２組の温水パイプユニット２０が使用されている。
【００２６】
次に、同図（ｃ）に示すように、パイプ収容溝３１ａ、３１ｂに温水パイプユニット２０の基材２２から張り出した温水パイプ２１のＵターン部分を嵌め込むようにしてＵターンパネル３０ｃを敷設すると、床下地１０の上に載置された温水パイプユニット２０が概ね位置決めされることになるので、各温水パイプユニット２０における温水パイプ２１の両端部をそれぞれ床下地１０の下方側に引き落とし、床下でメインパイプに接続する。
【００２７】
続いて、同図（ｄ）に示すように、パイプ収容溝３１ａに上部カバーシート２７によって覆われた温水パイプ２１の直線部分を嵌め込みながら本体パネル３０ｂを敷設していく。なお、周辺パネル３０ａ、Ｕターンパネル３０ｃ及び本体パネル３０ｂを敷設する際は、パイプ収容溝３１ａ、３１ｂ部分を除いて各パネルの裏面にそれぞれウレタン系の接着剤が塗布されているので、図６に示すように、この接着剤Ｖによって、本体パネル３０ｂと温水パイプユニット２０の上部カバーシート２７のフラット部分２７ｂとが相互に接着固定されると共に、下部シート２３及び上部カバーシート２７に形成された透孔２３ａ、２７ｃ部分で、本体パネル３０ｂと床下地１０とが同時に接着固定される。
【００２８】
このようにして本体パネル３０ｂを次々と敷設していき、図７（ｅ）に示すように、温水パネルユニット２０における温水パイプ２１の反対側のＵターン部分を覆うように、Ｕターンパネル３０ｃを敷設した後、同図（ｆ）に示すように周辺パネル３０ａを敷設すると、図１に示すような温水式床暖房フロア１が完成する。
【００２９】
ただし、貼終側のＵターンパネル３０ｃを敷設する際は、温水パイプユニット２０の温水パイプ２１の伸縮によって、そのＵターン部分をＵターンパネル３０ｃのパイプ収容溝３１ｂに収容することができない場合があるが、そのような場合は、温水パイプ２１を貼始側のＵターンパネル３０ｃ側に押したり、貼終側のＵターンパネル３０ｃ側に引き寄せたりすることによって、基材２２に対する温水パイプ２１の位置修正を適宜行うと、貼終側のＵターンパネル３０ｃのパイプ収容溝３１ｂに温水パイプ２１のＵターン部分を確実に収容することができる。
【００３０】
以上のように、この温水パイプユニット１は、床仕上材３０の敷設途中で、温水パイプ２１の位置調整を適宜行うことができるので、温水式床暖房フロア１の施工作業者は、温水パイプ２１の伸縮を考慮して貼始側のＵターンパネル３０ｃを慎重に敷設したり、貼終側のＵターンパネル３０ｃを敷設する際、そのパイプ収容溝３１ｂに温水パイプ２１のＵターン部分を収容することができなくなった場合でも、一旦敷設した床仕上材３０を剥がして、再度、敷設し直したりするといった面倒な作業を行う必要がなく、床仕上材３０を効率よく確実に敷設していくことができる。
【００３１】
また、この温水パイプユニット２０では、温水パイプ２１の直線部分が上部カバーシート２７によって覆われているので、本体パネル３０ｂを敷設する際に、本体パネル３０ｂの裏面に塗布された接着剤が温水パイプ２１の直線部分に付着し、その付着した接着剤によって温水パイプ２１が侵されるといったおそれがなく、床暖房フロアの施工作業者は、本体パネル３０ｂの裏面に塗布された接着剤の温水パイプ２１への付着を気にすることなく、効率よく本体パネル３０ｂを敷設していくことができる。
【００３２】
なお、上述した実施形態では、温水パイプ２１の直線部分を収容する複数のパイプ収容部２７ａを、１枚の下部シート２３によって閉塞するようにしているが、これに限定されるものではなく、図８に示すように、分割された複数の下部シート２８によって、上部カバーシート２７のパイプ収容部２７ａを個別に閉塞することも可能である。
【００３３】
また、上述した実施形態では、温水パイプ２１の複数の直線部分を覆うシート成形品からなる上部カバーシート２７を使用しているが、これに限定されるものではなく、例えば、図９（ａ）、（ｂ）に示すように、温水パイプ２１の各直線部分のみをそれぞれ覆う複数の上部カバーシート２９を下部シート２３に固着するようにしてもよい。
【００３４】
また、上述した実施形態では、上部カバーシート２７として、シート成形品を使用しているが、これに限定されるものではなく、シート成形品以外に、クラフト紙の型押品やプラスチック材料の押出成形品等を使用することも可能である。
【００３５】
また、上述した実施形態では、均熱性能を付与するために、アルミニウム箔が積層されたラミネートシートによって下部シート２３を形成しているが、アルミニウム箔が積層されたラミネートシート等によって上部カバーシート２７を形成したり、下部シート２３及び上部カバーシート２７の双方をアルミニウム箔が積層されたラミネートシート等によって形成しておくことによって、さらに、均熱性能を高めることができる。特に、図８に示すように、下部シート２８が複数に分割される場合、均熱性能を高めるためには、アルミニウム箔が積層されたラミネートシート等によって上部カバーシート２７を形成しておく必要があることはいうまでもない。
【００３６】
また、上述した実施形態では、基材２２を構成している下部シート２３や上部カバーシート２７に接着剤を透過させるための透孔２３ａ、２７ｃを形成しているが、これに限定されるものではなく、下部シート２３を形成している素材自体が接着剤の透過性能を有していれば、特に、下部シート２３に透孔を形成しておく必要はない。さらに、温水パイプユニット２０を接着剤によって別途床下地１０に接着するのであれば、特に、下部シート２３や上部カバーシート２７に透孔２３ａ、２７ｃを形成しておく必要はない。
【図面の簡単な説明】
【図１】この発明にかかる温水パイプユニットの一実施形態を使用した温水式床暖房フロアを示す断面図である。
【図２】同上の温水式床暖房フロアを示す分解断面図である。
【図３】（ａ）は同上の温水パイプユニットを示す一部切欠平面図、（ｂ）は同上の温水パイプユニットを示す分解断面図である。
【図４】同上の温水パイプユニットに使用されている下部シートを示す断面図である。
【図５】（ａ）は同上の温水式床暖房フロアに使用される床仕上材（本体パネル）を示す平面図、（ｂ）は同上の床仕上材（本体パネル）を示す裏面図、（ｃ）は同上の温水式床暖房フロアに使用される床仕上材（Ｕターンパネル）を示す裏面図である。
【図６】同上の温水式床暖房フロアにおける床仕上材及び温水パイプユニットの接着状態を示す部分断面図である。
【図７】（ａ）〜（ｆ）は同上の温水式床暖房フロアの施工方法を示す工程図である。
【図８】他の実施形態である温水パイプユニットを示す断面図である。
【図９】（ａ）は他の実施形態である温水パイプユニットを示す平面図、（ｂ）は同上の温水パイプユニットを示す断面図である。
【図１０】（ａ）は従来の床仕上材一体型の温水式床暖房フロアに使用される床仕上材を示す断面図、（ｂ）は同上の温水式床暖房フロアの施工方法を示す工程図である。
【図１１】（ａ）は従来の他の温水式床暖房フロアに使用される床仕上材を示す断面図、（ｂ）、（ｃ）は同上の温水式床暖房フロアの施工方法を示す工程図である。
【図１２】（ａ）は背景技術としての温水式床暖房フロアを示す断面図、（ｂ）は同上の温水式床暖房フロアを示す分解断面図である。
【図１３】同上の温水パイプユニットが有する問題点を説明するための説明図である。
【符号の説明】
１  温水式床暖房フロア
１０  床下地
２０  温水パイプユニット
２１  温水パイプ
２２  基材
２３、２８  下部シート
２３ａ  透孔
２７、２９  上部カバーシート
２７ａ  パイプ収容部
２７ｃ  透孔
３０  床仕上材
３０ａ  周辺パネル
３０ｂ  本体パネル
３０ｃ  Ｕターンパネル
３１  パネル基材
３１ａ、３１ｂ  パイプ収容溝
３２  表面化粧材
【図１】
0004027121.tif 000002
【図２】
0004027121.tif 000003
【図３】
0004027121.tif 000004
【図４】
0004027121.tif 000005
【図５】
0004027121.tif 000006
【図６】
0004027121.tif 000007
【図７】
0004027121.tif 000008
【図８】
0004027121.tif 000009
【図９】
0004027121.tif 000010
【図１０】
0004027121.tif 000011
【図１１】
0004027121.tif 000012
【図１２】
0004027121.tif 000013
【図１３】
0004027121.tif 000014